(57)【要約】  本発明は、金属リングメッシュ２６から形成された防護衣類１０；５０のループ３５，４０に締め付けるための締め付けストラップ４５；１８０；２１１；２５０およびそのような防護衣類１０；５０に関し、締め付けストラップ４５；１８０；２１１；２５０は、少なくとも１つの係合部７０；１８５と、当該係合部７０；１８５に対応して形成された窪み９０；２０５とを備え、係合部７０；１８５および窪み９０；２０５は、互いに係合しており、防護衣類１０；５０のループ３５，４０を把持すると共に、防護衣類１０；５０のループ３５，４０に締め付けストラップ４５；８０；２１１；２５０を固定するように構成されているループ部１５５を形成する。
2015531435.tif 000002
【特許請求の範囲】
【請求項１】
防護衣類（１０，５０）の金属リングメッシュ（２６）から形成されたループ（３５，４０）に締め付けるための締め付けストラップ（４５；１８０；２１１；２５０）であって、
上記締め付けストラップ（４５；１８０；２１１；２５０）は、少なくとも１つの係合部（７０；１８５）および当該係合部（７０；１８５）に対応して形成された窪み（９０；２０５）を備え、
上記係合部（７０；１８５）および上記窪み（９０；２０５）は、互いに係合しており、上記防護衣類（１０；５０）の上記ループ（３５，４０）を把持すると共に、上記締め付けストラップ（４５；１８０；２１１；２５０）を上記防護衣類（１０；５０）の上記ループ（３５，４０）に締め付けるように構成されているループ部を構成していることを特徴とする締め付けストラップ（４５；１８０；２１１；２５０）。
【請求項２】
上記締め付けストラップ（４５；１８０；２１１；２５０）は、少なくとも１つのさらなる係合部（６０；２１５）および締め付け手段（８５；２３０）を当該締め付けストラップ（４５；１８０；２１１；２５０）内に備えており、上記締め付け手段（８５；２３０）は、上記さらなる係合部（６０；２１５）に対応して形成されており、上記さらなる係合部（６０；２１５）を少なくとも部分的に把持するように構成されていることを特徴とする請求項１に記載の締め付けストラップ（４５；１８０；２１１；２５０）。
【請求項３】
上記締め付けストラップ（４５；１８０；２１１；２５０）および上記係合部（６０；２１５）は、プラスチック材料から形成されていることを特徴とする請求項２に記載の締め付けストラップ（４５；１８０；２１１；２５０）。
【請求項４】
上記さらなる係合部（６０；２１５）は、上記締め付けストラップ（４５；１８０；２１１；２５０）の上記締め付け手段（８５；２３０）の背部に係合するように構成されたキャッチ（１４０；２２０）を備えていることを特徴とする請求項２または３に記載の締め付けストラップ（４５；１８０；２１１；２５０）。
【請求項５】
上記キャッチ（１４０；２２０）は、上記さらなる係合部（６０；２１５）の外周に形成されており、好ましくは上記スナップファスナー（６０；２１５）における上記締め付けストラップ（４５；１８０；２１１；２５０）の厚さに対応する距離だけ離れて配置されていることを特徴とする請求項４に記載の締め付けストラップ（４５；１８０；２１１；２５０）。
【請求項６】
上記さらなる係合部（６０；２１５）は、上記キャッチ（１４０；２２０）および上記締め付けストラップ（４５；１８０；２１１；２５０）の間の部分（１４５）を備えており、当該部分（１４５）は、上記キャッチ（１４０；２２０）の方向に細くなる構造を有していることを特徴とする請求項４または５に記載の締め付けストラップ（４５；１８０；２１１；２５０）。
【請求項７】
上記締め付け手段は、開口部（８５；２３０）として形成されていると共に、円錐形に形成されており、上記さらなる係合部（６０；２１５）の上記細くなっている部分（１４５）は、上記開口部（８５；２３０）に二次元状に接触していることを特徴とする請求項６に記載の締め付けストラップ（４５；１８０；２１１；２５０）。
【請求項８】
上記係合部（７０）は、マッシュルームの形状またはＴ字形状に形成され、かつ／もしくは、上記窪み（９０）は、Ｔ字形状を有し、あるいは、上記係合部は、スナップファスナー（１８５）として形成され、上記窪み（２０５）は、穿孔として形成されていることを特徴とする請求項１〜７のいずれか１項に記載の締め付けストラップ（４５；１８０；２１１；２５０）。
【請求項９】
上記係合部（７０）は、上記締め付けストラップ（４５；１８０；２１１；２５０）に対向する当該係合部（７０）の面に配置された第１斜面を備え、上記第１斜面は、上記係合部（７０）が上記窪み（９０）と係合するときに、当該係合部（７０）の上記第１斜面（１１５）が当該第１斜面（１１５）と二次元状に対応して結合される上記締め付けストラップ（４５；１８０；２１１；２５０）の第１対向面（１３０）に接触するように配置されており、かつ／もしくは、上記窪み（９０）は、第２斜面（１３０）を備え、上記第２斜面（１３０）は、上記係合部（７０）が上記窪み（９０）と係合するときに、当該第２斜面（１３０）が当該第２斜面（１３０）と二次元状に対応して結合される上記係合部（７０）の第２対向面（１３５）に接触するように配置されていることを特徴とする請求項１〜８のいずれか１項に記載の締め付けストラップ（４５；１８０；２１１；２５０）。
【請求項１０】
上記さらなる係合部（６０；２１５）は、上記窪み（９０；２０５）および上記係合部（７０；１８５）の間の上記締め付けストラップ（４５；１８０；２１１；２５０）に配置されていることを特徴とする請求項２〜９のいずれか１項に記載の締め付けストラップ（４５；１８０；２１１；２５０）。
【請求項１１】
上記締め付け手段（８５；２３０）は、上記係合部（７０；１８５）とは反対側の端部（８０）に配置された上記締め付けストラップ（４５；１８０；２１１；２５０）の一部分に配置されていることを特徴とする請求項１〜１０のいずれか１項に記載の締め付けストラップ（４５；１８０；２１１；２５０）。
【請求項１２】
上記ループ部（１５５）の領域における上記締め付けストラップ（４５；１８０；２１１；２５０）の折り畳みを支持するように構成された蝶番領域（９５）が、上記窪み（９０；２０５）および上記係合部（７０；１８５）の間に設けられていることを特徴とする請求項１〜１１のいずれか１項に記載の締め付けストラップ（４５；１８０；２１１；２５０）。
【請求項１３】
上記蝶番領域（９５）は、上記締め付けストラップ（４５；１８０；２１１；２５０）における首部分（１６０）によって形成されているか、または上記締め付けストラップ（４５；１８０；２１１；２５０）のプラスチック材料とは異なる材料であって、可撓性を有する材料を選択することによって形成されていることを特徴とする請求項１２に記載の締め付けストラップ（４５；１８０；２１１；２５０）。
【請求項１４】
上記締め付けストラップ（４５；１８０；２１１；２５０）は、上記係合部（７０；１８５）と上記蝶番領域（９５）との間において、上記蝶番領域（９５）と、上記係合部（７０；１８５）の反対側に配置された上記締め付けストラップ（４５；１８０；２１１；２５０）の上記端部との間よりも小さい厚みを有していることを特徴とする請求項１２または１３に記載の締め付けストラップ（４５；１８０；２１１；２５０）。
【請求項１５】
上記締め付けストラップ（４５；１８０；２１１；２５０）の上記プラスチック材料と、上記さらなる係合部（６０；２１５）の上記プラスチック材料とは、エラストマーであり、特に熱可塑性エラストマーであることを特徴とする請求項１〜１４のいずれか１項に記載の締め付けストラップ（４５；１８０；２１１；２５０）。
【請求項１６】
締め付けストラップ（４５；１８０；２１１；２５０）と、金属リングメッシュ（２６）から形成された少なくとも１つのループ（３５，４０）とを備え、金属リングメッシュからなる防護衣類（１０；５０）であって、
上記締め付けストラップ（４５；１８０；２１１；２５０）は、請求項１〜１５のいずれか１項に基づいて構成され、
上記ループ部（１５５）は、上記防護衣類（１０；５０）の上記ループ（３５，４０）を把持すると共に、上記防護衣類の上記ループ（３５，４０）に上記締め付けストラップ（４５；１８０；２１１；２５０）を締め付けるように構成されていることを特徴とする防護衣類（１０；５０）。
【請求項１７】
上記防護衣類（１０；５０）は、以下の種類の衣類：手袋（１０）、特に五本指手袋；防護袖を有する手袋（５０）、特に腕の全体または一部分を防護するための手袋：防護袖片；防護脚片；シャツ；袖有／袖無のチュニック；一着のズボン；フード；エプロン；袖有／袖無のボレロ；のうちの少なくとも１つとして構成されていることを特徴とする請求項１６に記載の防護衣類（１０；５０）。
【発明の詳細な説明】
【発明の詳細な説明】
【０００１】
本発明は、防護衣類の金属リングメッシュから形成されたループに締め付けるための締め付けストラップ、および防護衣類に関する。当該締め付けストラップは、少なくとも１つの係合部と、当該係合部に対応して形成された窪みと、を備えており、当該係合部および当該窪みは、互いに係合しており、防護衣類のループを把持するように構成されていると共に、防護衣類のループに締め付けストラップを締め付けるように構成されているループ部を形成する。
【０００２】
ＥＰ  １  ９１９  ３１４  Ｂ１は、金属リングメッシュによって作製された防護手袋を開示している。この文献において、ループは、締め付けストラップが通されている防護手袋に設けられている。締め付けストラップは、平らなプラスチックストラップとして形成されている。締め付けストラップは、スナップファスナーおよびスナップファスナーバックルからなる留め金を備えている。スナップファスナーバックルは、締め付けストラップの一端に調節可能に配置され、スナップファスナーは、リベット継手を用いて、締め付けストラップの他端近傍において、当該締め付けストラップに固定される。
【０００３】
また、上述の防護手袋は、金属リングメッシュからなる籠手を用いて製造されてもよい。当該籠手は、手または腕における位置に防護手袋を固定するために、この実施形態では、使用者の手首の周囲の領域、および籠手の後端に配置されている２つの締め付けストラップを備えている。
【０００４】
締め付けストラップを締め付けるためには、２つのさらなる金属部材、すなわちスナップファスナー自体およびスナップファスナーバックルが必要になることは、従来の防護手袋の不利点である。双方の部材は、例えば肉処理産業等における高い衛生基準の要求を満たすために、複雑な方法で高品質材料から製造される。
【０００５】
本発明の根底にある目的は、締め付けストラップが衛生的に構成され、かつ単純な方法で製造され得ることにより、上述の形態の金属リングメッシュからなる防護衣類のための締め付けストラップを改良することである。さらなる目的は、締め付けストラップが緩くなってしまう危険性を低減することである。
【０００６】
この目的は、請求項１の特徴を有する締め付けストラップを用いることによって解決される。本発明のさらなる有益な実施形態は、従属請求項において示されている。
【０００７】
金属リングメッシュからなる本発明に係る防護衣類は、締め付けストラップと、金属リングメッシュから形成された少なくとも１つのループと、を備えている。締め付けストラップは、係合部および当該係合部に対応して形成された窪みを少なくとも備えている。係合部および窪みは、互いに係合しており、防護衣類のループを把持するように構成されていると共に、当該防護衣類のループに締め付けストラップを締め付けるように構成されているループ部を形成する。
【０００８】
この実施形態は、締め付けストラップが防護衣類のループから外れることによる締め付けストラップの紛失を妨げることができるという利点を有する。さらに、防護衣類における欠陥のある締め付けストラップを交換することが特に簡単である。
【０００９】
さらなる実施形態では、少なくとも１つのさらなる係合部、および当該さらなる係合部に対応して構成された締め付け部は、締め付けストラップに設けられている。当該締め付け部は、さらなる係合部を少なくとも部分的に把持するように構成されている。これにより、防護衣類は、締め付けストラップによって、例えば防護衣類の使用者の手首または腕に、あるいは上半身にさえ、外れないように簡単に固定することができる。
【００１０】
さらなる実施形態では、締め付けストラップおよびさらなる係合部は、プラスチック材料から作製される。締め付けストラップおよびさらなる係合部の材料としてプラスチックを使用することによって、防護衣類の重量をより軽くすることができる。
【００１１】
さらに、さらなる係合部を伴った締め付けストラップを一体化した構成は、当該締め付けストラップに汚れが堆積することを防ぎ、当該締め付けストラップを従来の締め付けストラップよりもより衛生的にする；さらに、締め付けストラップは、防護衣類と共に確実かつ簡単に洗浄され得る。さらに、さらなる係合部の紛失、特にスナップファスナーの紛失は、一体化した構成によって確実に防止される。
【００１２】
同一の材料を用いて、締め付けストラップおよびさらなる係合部を一体化した構成のさらなる利点は、締め付けストラップおよびさらなる係合部を、射出成型によって単一の製造工程で安価に製造することができることである。
【００１３】
さらなる実施形態では、さらなる係合部は、締め付けストラップの締め付け部の背部に係合するように構成されたキャッチを備える。このように、締め付けストラップは、簡単に縛り付けられ得、それにより締め付けストラップ自体だけでなく防護衣類も固定する。
【００１４】
さらなる実施形態では、キャッチは、さらなる係合部の周囲に形成されており、締め付けストラップの厚さに対応した距離だけさらなる係合部から離れて配置されていることが好ましい。このように、意図しない緩みを防止するために、さらなる係合部に対する締め付けストラップの特に安定した締め付けがもたらされる。
【００１５】
さらなる実施形態では、さらなる係合部は、キャッチおよび締め付けストラップの間に区画を有しており、当該区画は、キャッチの方向に細くなる構造を有している。これは、さらなる係合部を、締め付け部または締め付けストラップの各開口部に挿入することを容易にする。
【００１６】
さらなる実施形態では、さらなる係合部の細くなっている部分が開口部と二次元状に接触するように、締め付け部は当該開口部として、かつ円錐として形成されている。このように、さらなる係合部は、開口部により簡単に挿入することができると同時に、さらなる係合部上に作用する力は、さらなる係合部が開口部と二次元状に接触していることによって確実に開口部に伝達することができ、逆もまた同様である。
【００１７】
この構成では、係合部がマッシュルームの形状またはＴ型の形状を有しており、かつ／または、窪みがＴ型の形状を有しているか、係合部がスナップファスナーとして構成されかつ窪みが穿孔として構成されていることが特に有益である。
【００１８】
さらなる実施形態では、係合部は、締め付けストラップに対向する係合部の表面に配置される第１斜面を有しており、当該第１斜面は、係合部が窪みに係合する場合に、係合部の第１斜面と二次元状に対応して結合される締め付けストラップの第１対向面に接触するように構成されており、かつ／または、窪みは、第２斜面を有しており、当該第２斜面は、係合部が当該窪みと係合する場合に、当該第２斜面と二次元状に対応して結合する係合部の対向面に接触するように構成されている。このように、係合部および締め付けストラップの間における力を最適に伝達するために、窪みの領域には係合部の広い支持領域が設けられている。
【００１９】
上記の構成は、さらなる係合部が、窪みおよび係合部の間の締め付けストラップに配置される場合に特に有益である。このように、さらなる係合部は、防護衣類の外側面上に位置していることが保証されるため、例えば腕等に防護衣類を締め付けストラップによって締め付けるために、当該防護衣類の使用者がより簡単に利用することできる。
【００２０】
さらなる実施形態では、締め付け部は、係合部とは反対側の端部に配置された締め付けストラップの一部分に配置される。上記の構成は、短い形態の締め付けストラップを可能にするため、当該締め付けストラップを安価で製造することができると共に、必要な材料が少ないために軽量に製造することができる。
【００２１】
ループ部の領域における締め付けストラップの折り畳みは、窪みおよび係合部の間の締め付けストラップに設けられた蝶番領域によって支持され得る。
【００２２】
締め付けストラップの蝶番領域は、締め付けストラップの首部分によって、または締め付けストラップのプラスチック材料とは異なっていて、かつ可撓性を有する材料を選ぶことによって、簡単に形成することができる。
【００２３】
さらなる実施形態では、締め付けストラップは、係合部および蝶番領域の間において、蝶番領域および締め付けストラップにおける係合部とは反対側の端部の間よりも小さい厚みを有している。このよう、締め付けストラップは、ループ部において特に平たく折り畳まれていてもよい。
【００２４】
さらなる実施形態では、さらなる係合部のプラスチック材料および締め付けストラップのプラスチック材料は、エラストマーであり、特に熱可塑性エラストマーである。
【００２５】
この目的は、請求項１６の特徴を備える防護衣類によって解決される。本発明のさらなる有益な実施形態は、従属請求項において示されている。
【００２６】
本発明によれば、上述した目的は、上記の締め付けストラップおよび金属リングメッシュから形成された少なくとも１つのループを備える金属リングメッシュからなる防護衣類によっても解決され得ることが認められた。ループ部は、防護衣類のループの周りを把持すると共に、防護衣類のループに締め付けストラップを締め付けるように構成されている。そのため、締め付けストラップが開いている場合に、当該締め付けストラップが緩むことを防止することができる。
【００２７】
さらなる実施形態では、上記の防護衣類は、以下の種類の衣類：手袋、特に五本指手袋；防護袖を有する手袋、特に腕の全体または一部分を防護するための手袋；防護袖片；防護脚片；防護シャツ；袖有／袖無の防護チュニック；一着の防護ズボン；防護フード；防護エプロン；袖有／袖無のボレロ；の少なくとも１つとして好適に形成され得る。
【００２８】
以下では、本発明は、添付の図面と関連付けてより詳細に説明される。この明細書では、同一の部材は、同一の参照番号を有する。
【００２９】
図１は、籠手を備えている防護手袋の背面斜視図を示す；
図２は、図２に示される防護手袋の正面図を示す；
図３は、さらなる防護手袋の背面斜視図を示す；
図４は、図１から３に示される防護手袋の締め付けストラップの斜視図である；
図５は、図４に示される締め付けストラップの細部の斜視図を示す；
図６は、図５において印をつけられた細部を示しており、図４および５に示された締め付けストラップを通る縦断面図を示す；
図７は、図５において印をつけられたさらなる細部を示しており、図４および５に示される締め付けストラップを通る縦断面図を示す；
図８は、図４に示される締め付けストラップの端部の部分斜視図を示す；
図９は、図４および５に示される締め付けストラップのさらなる端部の部分斜視図を示す；
図１０は、図１から３に示される防護手袋を通る概略断面図を示す；
図１１は、図１０に示される締め付けストラップの端部を通る縦断面図の細部を示す；
図１２は、図１０に示される締め付けストラップのさらなる端部を通る縦断面図の細部を示す；
図１３は、別の締め付けストラップの斜視図を示す；
図１４は、図１３に示される別の締め付けストラップを通る縦断面図を示す；
図１５は、図１３または１４に示される締め付けストラップを備える図１から３において示された防護手袋を通る概略断面図を示す；
図１６は、図８に示される締め付けストラップの別の実施形態の部分斜視図を示す；
図１７は、図１６に示される締め付けストラップの部分斜視図を示す；かつ
図１８は、締め付けストラップのさらに別の実施形態の部分上面図を示す。
【００３０】
図１は、籠手１５を備える防護衣類片である防護手袋１０の背面斜視図を示し、図２は、図１に示される指先２０から籠手１５の後縁部２５にかけて金属リングメッシュ２６からなる防護手袋の正面図を示す。この明細書において、図１および２に示される防護手袋１０は、尖ったかつ／または鋭利な物（特に、ナイフ）の貫通から使用者の身体を防護するために、当該使用者の個人用防護衣類として機能する。
【００３１】
防御手袋１０の使用者の手首３０の領域では、金属リングメッシュ２６から作製されたいくつかの第１ループ３５が設けられている。籠手１５の後縁部２５には、金属リングメッシュ２６から作製されたいくつかの第２ループ４０が設けられている。手首３０の幅または後縁部２５の領域における前腕の幅に応じて、例えば３つのループ３５，４０が、手首３０の周囲に均等に締め付けられていてもよい。また、異なる数のループ３５，４０が、手首３０の領域または後縁部２５にに設けられていても勿論よい。
【００３２】
ループ３５，４０は、例えば防護手袋周囲の円周方向において、締め付けストラップ４５，１８０が通される金属リングメッシュにスリットを設けることによって、形成することができる。あるいは、ループ３５，４０は、ストラップ状の形態を有する金属リングメッシュによって、防御手袋１０または籠手１５上に配置されていてもよく、当該ループ３５，４０、金属リングメッシュ２６の前縁部および後縁部の寸法は、下方の金属リングメッシュ２６と関連している。
【００３３】
第１ループ３５は、第２ループ４０と同様に、各々が締め付けストラップ４５，１８０を収納する。締め付けストラップ４５，１８０の種々の実施形態は、図４から１８に詳細に示され、説明されている。締め付けストラップ４５，１８０は、防護手袋１０を異なる腕の太さまたは異なる手首の太さに合わせて調節することを可能にする。
【００３４】
なお、籠手１５は、防護半袖の形態で前腕を防護するために構成されるだけでなく、籠手１５が腕を全長にわたって覆うように、腕全体を防護するものとして構成されてもよい。また、籠手１５が、第１ループ３５および第２ループ４０ならびにこれらに締め付けられる締め付けストラップ４５，１８０の間のみが金属リングメッシュ２６からなるように、当該籠手１５は、防護腕片または防護脚片として構成されてもよい。
【００３５】
図３は、締め付けストラップ４５，１８０が解かれた場合に、防護手袋５０が簡単に外れるように、図１および２に示された籠手が無い実施形態における、防護衣類であるさらなる防護手袋５０の斜視図を示す。図１および２に示された防護手袋と同様に、防護手袋５０は、金属リングメッシュ２６、および図１および２に示されるように締め付けストラップ４５が通される手首３０に配置されるいくつかの第１ループ３５を備える。この実施形態において、締め付けストラップ４５は、使用者の手の手首３０に防護手袋５０を固定して、防護手袋５０が当該手首３０から滑り落ちることを防ぐ。
【００３６】
図１から３では、防護手袋１０は、五本指手袋である。ミトン、三本指手袋、または異なる数の指を備える形態も勿論考え得る。
【００３７】
図４は、図１から３に示される防護手袋１０，５０の締め付けストラップ４５の斜視図を示す。図５は、図４に示される締め付けストラップ４５の細部の斜視図を示し、図６は、締め付けストラップ４５を通る縦断面図において、図５で印がつけられた細部Ａを示す。図７は、締め付けストラップ４５を通る縦断面図において、図５で印がつけられたさらなる細部Ｂを示す。図８および９は、図４に示される締め付けストラップ４５のさらなる細部のさらなる斜視図を示し、図１０は、図１から３に示される防護手袋１０，５０を通る概略断面図を示す。図１１は、図１０に示される締め付けストラップ４５の端部を通る縦断面図の細部をさらに示し、図１２は、図１０に図示される締め付けストラップ４５の他の端部を通る縦断面図の細部を示す。以下では、図４から１２は互いに関連付けて説明される。
【００３８】
締め付けストラップ４５は、平らなプラスチックストラップとして形成されており、第１端部５５の領域において、スナップファスナー６０は、図４において締め付けストラップ４５の上面６５に相当する広い外側面６５上に配置される。さらに、係合部７０は、締め付けストラップ４５の長軸７５の方向における締め付けストラップ４５の第１端部５５から突出する締め付けストラップ４５の第１端部５０に配置される。
【００３９】
第１端部５５とは反対側の締め付けストラップ４５の第２端部８０では、いくつかの開口部８５が、締め付け部として締め付けストラップ４５における長軸７５の長手方向に次々に配置される。さらに、Ｔ型の窪み９０は、第１端部５５および第２端部８０の間の部分の締め付けストラップ４５に設けられている。さらに、蝶番領域９５は、窪み９０および係合部７０の間に設けられている。さらに、ラベリング領域９６は、蝶番領域９５およびさらなる係合部として機能するスナップファスナー６０の間に配置され、締め付けストラップ４５の種々のラベルは、エンボス加工によってラベリング領域９６に挿入されてもよい。そのため、図５に示されるように、手首３０に配置された第１ループ３５に設けられた締め付けストラップ４５を識別するために、ラベリング領域９６に文字“ｈａｎｄ（手）”を挿入することが考えられる。これによって、例えば異なる長さの締め付けストラップ４５に対してラベルを付けることができる。そのため、例えば短い構成を有する締め付けストラップ４５には、図５に示されるように、ラベル“ｈａｎｄ（手）”を設けてもよく、図示されない長い締め付けストラップには、ラベル“腕”を設けてもよい。
【００４０】
あるいは、ＥＮ１０８２規格に従って締め付けストラップ４５を染めるために、締め付けストラップ４５の長さに応じて、当該締め付けストラップ４５が異なる着色剤粒子を備えることも考え得る。
【００４１】
図５に詳細に示される係合部７０は、先端部１００と長手桁１０５とを備える。長手桁１０５は、当該線タブ１００を締め付けストラップ４５に一体化して接続されており、同一の材料を用いて当該先端部１００を締め付けストラップ４５に接続している。この構成における係合部７０の先端部１００は、半円形状を有しており、締め付けストラップ４５から逸れた表面１０６上に形成され、長手桁１０５よりも大きい幅を有する。これにより、先端部１００と長手桁１０５とが共にマッシュルーム型の係合部７０を形成する。
【００４２】
あるいは、先端部１００が、確実な嵌合接続によって窪み９０に係合部７０が接続され得るように構成され、かつ当該窪み９０の領域における締め付けストラップ４５の背部で係合するように構成されることも考えられる。この構成では、先端部１００および／または窪み９０は、三角形、多角形または楕円形であることが特に考えられる。
【００４３】
係合部７０は、締め付けストラップ４５の第一端部５５に対向する先端部１００の側面１０７に配置される第１斜面１１５をさらに備えている。この構成における斜面１１５は、締め付けストラップ４５の表面６５に対して傾斜した形で配置される。
【００４４】
窪み９０は、Ｔ型の形状を有しており、長手方向、すなわち長軸７５の方向に並べられた縦断部１２０と、長軸７５に対して交差する形で並べられた横断部１２５を備えている。この構成では、縦断部１２０および横断部１２５は、締め付けストラップ４５に結合貫通孔を形成するように組み合わさっている。そのため、縦断部１２０は、係合部７０に対向する横断部１２５の横に配置される。
【００４５】
窪み９０は、係合部７０の第１斜面１１５と同様にして、締め付けストラップ１１０の上面６５に対して傾斜して配置される第２斜面１３０（図７参照）を備えている。この構成では、第２斜面１３０は、係合部７０に隣接した側面１３５、すなわちＴ型の窪み９０の底部または縦断部１２０に配置される。
【００４６】
スナップファスナー６０は、図８に詳細に示されるように、上面６５から垂直に、または長軸７５に対して交差する形で垂直に伸びる。スナップファスナー６０は、締め付けストラップ４５と同様に、エラストマー、好ましくは熱可塑性エラストマーから一体的に形成されており、同じ材料を用いて形成されている。別のプラスチック材料も考え得るが、締め付けストラップ４５を曲げたり折り畳んだりすることを可能にするために、これらの材料が可撓性を有することが必要不可欠である。一体化した構成により、スナップファスナー６０は、締め付けストラップ４５と分かれて接続されていない。スナップファスナー６０は、スナップファスナー６０の周囲に形成され、かつ当該スナップファスナーから距離Ａｂ離れた位置に配置されるキャッチ１４０をさらに備え、当該距離Ａｂは、締め付けストラップ４５の厚さＤに相当する。キャッチ１４０および締め付けストラップ４５の間において、スナップファスナー６０は、締め付けストラップからキャッチ１４０の方向に向かって細くなる構造を有しているため、この部分１４５の領域においてテーパー形状を有している。
【００４７】
係合部７０とは反対側の締め付けストラップ４５の第２端部８０には、いくつかの開口部８５が、図９に拡大された形態に示されるように配置されており、スナップファスナー６０の細くなっている部分１４５に対応するように形成されている。スナップファスナー６０が開口部８５に挿入される場合、図１０および１１に示されるように、スナップファスナー６０は、締め付けストラップ４５において当該開口部８５によって部分的に把持される。スナップファスナー６０の細くなっている部分１４５と開口部８５との間の接触面を拡大するために、周縁領域１４６を細くなっている部分１４５に即して円錐形に形成することにより、当該周縁領域１４６を細くなっている部分１４５と二次元状に接触させている。
【００４８】
細くなっている部分１４５に対して開口部８５の周縁領域１４６が対応する構成のため、組み立てられた状態におけるこれらの部材は、二次元状に互いに接触する。これにより、長軸７５の方向に作用する力、例えば防護手袋１０，５０を固定するときに締め付けストラップ４５の引張ひずみから生じる力が、スナップファスナー６０から開口部８５に確実に伝達され得る。スナップファスナー６０のこの実施形態、またはキャッチ１４０を伴った開口部８５のこの実施形態は、スナップファスナー６０が開口部８５から外れることをさらに防ぐ。さらに、開口部８５の中に／開口部８５を介して、スナップファスナー６０を挿入すること、または引っ張ることは、開口８５の円錐形状の形態によって容易になる。
【００４９】
この構成では、スナップファスナー６０が完全に挿入された場合、上面６５に対向する固定面１５０が、締め付けストラップ４５の滑り込んだ第２端部８０の上面６５上に留まるように、キャッチ１４０は形成されている。その結果、スナップファスナー６０は、締め付けストラップ４５が緩むことを防ぐために、開口部８５の領域において、締め付けストラップ４５の背部に係合し、締め付け４５の第２端部８０を防護手袋１０，５０に固定する。横方向の力（締め付けストラップ４５の上面６５に垂直なベクトルを有する力）は、スナップファスナー６０における締め付けストラップ４５の連結により、キャッチ１４０によってスナップファスナー１４０の方向に伝達されると共に、細くなっている部分１４５および開口部８５の周縁領域によって反対方向に伝達される。
【００５０】
本実施形態において、スナップファスナー６０および開口部８５は、対称的な形態で形成される。矩形、楕円形または多角形等の別の断面形状も勿論考えられる。しかし、この構成における本質的な特徴は、スナップファスナー６０が、一体化して形成されており、締め付けストラップ４５と同一の材料から形成されていると共に、開口部８５が、スナップファスナー６０を把持するために、締め付け手段として構成されていることである。
【００５１】
図１０および１１に示されるように、防護手袋２０，５０に締め付けストラップ４５を固定するために、係合部７０は、横断部１２５を介して窪み９０に挿入される。ループ３５，４０への締め付けストラップ４５の固定は、横断部１２５を介して、係合部７０の先端部１００を縦断部１２０に滑り込ませることによって行われる。縦断部１２０よりも先端部１００が広い構成を有しているため、窪み９０の縦断部１２０の領域において、締め付けストラップ４５の背部に係合部７０の先端部１００が係合することにより、当該係合部７０が窪み９０から外れることが防止される。
【００５２】
係合部７０が窪み９０と係合するとき、締め付けストラップ４５は、周囲方向において、ループ３５，４０の周りを本質的に完全に把持するループ部１５５を形成する（図１０参照）。これにより、スナップファスナー６０が開口部８５に挿入されていない場合でも、防護手袋１０，５０に締め付けストラップ４５が確実に固定される。
【００５３】
係合部７０および締め付けストラップ４５の間の二次元状の接触は、力を伝達するために必要であり、係合部７０の先端部１００または窪み９０において、第１斜面１１５が締め付けストラップ４５の底面１６５に二次元状に接触するように形成されている当該第１斜面１１５によって保障される。さらに、係合部７０が窪み９０に挿入される場合、第１斜面１３０が、締め付けストラップ４５または長手桁１０５の上面６５に二次元状に接触するように、第２斜面１３０は配置される。
【００５４】
ループ部１５５における窪み９０内に係合部７０を挿入するときの折り畳みを支持するため、また、ループ３５，４０の周囲において、ループ部１５５の平らな形態を提供するために、蝶番領域９５は、本質的には窪み９０および係合部７０の中間に配置される。本実施形態において、蝶番領域９５は、長軸７５に対して交差する形で上面６５に沿って導かれる溝形状の首部分によって形成される。このように、締め付けストラップ４５の材料は、首部分１６０の領域において弱められ、これにより特に簡単な屈曲または折り畳みが可能となる。本実施形態において、締め付けストラップ４５を特に簡単に折り畳むことができ、かつ、蝶番領域９５の部位で材料を圧迫したり、折り畳んでいる間に当該材料を可塑的に変形したりすることなくループ部１５５の特に平らな形態を提供することができるように、首部分１６０の幅ｂＥは選択される。本実施形態は、首部分１６０の横安定によって、斜めの折り畳みを防ぐという利点をさらに有する。
【００５５】
あるいは、首部分１６０を締め付けストラップの底面１６５上に配置することも考えられる。図面における図示とは異なり、蝶番領域９５は、上面６５および底面１６５の双方の上に配置された２つの首部分１６０によって構成されていても勿論よい。代替案として、首部分１６０は、締め付けストラップ４５の細い側面１７０の片側または両側に配置されることが考えられる。蝶番領域９５または首部分１６０を締め付けストラップ４５緩やかに形成された外形によって実現することも勿論考えられる。
【００５６】
また、締め付けストラップ４５を、ループ部１５５の形態が特に平らになるように、蝶番領域９５の領域において予め屈曲させることも考えられる。
【００５７】
代替案として、または本実施形態において示した首部分１６０を有する蝶番領域９５に加えて、締め付けストラップのプラスチック材料とは異なる材料が蝶番領域９５に配置されていてもよく、当該材料の可撓性が残りの締め付けストラップ４５における締め付けストラップ４５のプラスチックの可撓性よりも柔らかいことが考えられる。この構成において、一体化した締め付けストラップ４５を製造するために、蝶番領域９５および締め付けストラップ４５の２つの材料が、例えば二成分射出成型法等の鋳型で成型される場合、特に有益である。二成分射出成型法は、例えば首部分１６０によって生じた窪みであって、洗浄することが難しい窪みを防ぐ利点をもたらす。
【００５８】
また、締め付けストラップ４５は、蝶番領域９５および係合部７０の間において、またはループ領域１５５において、蝶番領域９５および２端部８０の間、または締め付けストラップ４５の係合部７０よりも小さい厚さＤを有することが考えられる。このように、ループ部１５５は、特に平らに形成されていてもよい。
【００５９】
上述のように、締め付けストラップ４５は、ループ部１５５を介してループ３５，４０を把持することによって、防護手袋１０，５０に固定される。手または指、および前腕上に防護手袋１０，５０を着けた後に、締め付けストラップ４５を手首３０の外周に導き、かつ手首３０または前腕の外周に応じて、スナップファスナー６０が挿入される対応する開口部８５を選択することによって、防護手袋１０，５０（図１０参照）は、手首３０に固定される。スナップファスナー６０が完全に挿入され、キャッチ１４０が係合する場合、当該キャッチ１４０は、増加した力のみによって外れ得るため、締め付けストラップ４５の意図しない緩みが妨げられる。
【００６０】
同一の材料による締め付けストラップ４５の一体化構造により、防護手袋１０，５０は、締め付けストラップ４５の領域において汚れが堆積することなく、確実および完全に洗浄され得る。同様に、締め付けストラップ４５を使い古した場合、当該締め付けストラップ４５を簡単かつ道具を伴うことなく交換することができる。さらに、締め付けストラップは、部材を緩めることによって食品を汚染することはない。
【００６１】
図１３は、さらなる締め付けストラップ１８０の斜視図を示しており、図１４は、図１３に示される締め付けストラップ１８０を通る縦断面図を示す。締め付けストラップ１８０は、図１から１２に示される締め付けストラップと本質的には同様に構成される。図１から１２に示される形態と異なっている点は、締め付けストラップ１８０が図１から１２に示される先端部および長手桁のＴ字形状の構造の代わりに、さらなるスナップファスナー１８５を係合部として備えており、当該スナップファスナー１８５は、底面１６５上に配置されることにより、締め付けストラップ１８０のスナップファスナー６０の反対側に配置される。この構成において、さらなるスナップファスナー１８５は、外周に形成されたキャッチ１９０を備える。さらなるスナップファスナー１８５のキャッチ１９０および締め付けストラップ１８０の間において、円筒部１９５は、さらなるスナップファスナー１８５に配置される。
【００６２】
さらなるスナップファスナー１８５のキャッチ１９０は、締め付けストラップ１８０の厚さＤに本質的に一致する距離Ａｂを有している。締め付けストラップ１８０から逸れるさらなるスナップファスナー１８５の端部は、丸い縁２００を備える。さらに、さらなる締め付けストラップ１８０の第１端部５５は、第１端部５５が防護手袋１０，５０のループ３５，４０に通されるときに、締め付けストラップ１８０が引っ掛かることを避けるために、丸い構造を有している。
【００６３】
さらなるスナップファスナー１８５に加えて、さらなるスナップファスナー１８５に対応して形成される開口部２０５が締め付け手段として締め付けストラップ１８０に設けられている。そのため、開口部２０５は、貫通孔として円筒形に形成される。さらに、締め付けストラップ１８０の底面上の穿孔２０５は、斜面２１０によって傾斜させられている。
【００６４】
図１５は、図１３および１４に示される締め付けストラップ１８０を備える図１から１３に示される防護手袋１０，５０を通る概略断面図を示す。また、締め付けストラップ１８０は、ループ３５，４０を介して第１端部５５を導き、当該第１端部５５を屈曲させることによって形成されるループ部１５５を備える。屈曲させる処理は、蝶番領域９５によって容易になる。ループ３５，４０に締め付けストラップ１８０を固定するために、さらなるスナップファスナー１８５が開口部２０５に挿入される。さらなるスナップファスナー１８５における丸い縁２００は、さらなるスナップファスナー１８５の開口部２０５への挿入を容易にする。同様に、さらなるスナップファスナー１８５の挿入は、開口部２０５における斜面２１０によって容易になる。さらなるスナップファスナー１８５が完全に挿入されたときに、キャッチ１９０の底部側に配置された係止領域１９６が締め付けストラップ１８０の上面６５に接触することによって、さらなるスナップファスナー１８５のキャッチ１９０は、ループ部１５５単独の緩みを防ぐ。この際、さらなるスナップファスナー１８５のキャッチ１９０は、開口部２０５の領域において、さらなる締め付けストラップ１８０の背部に係合することによって、締め付けストラップ１８０がループ３５，４０に固定される。図１０に示されるように、防護手袋１０，５０は、締め付けストラップ１８０をループ部１５５に通した後に、防護手袋１０，５０の外周に当該締め付けストラップ１８０を導くことによって、手首または腕に固定され、スナップファスナーは、上述したように開口部８５の背部に係合する。これにより、防護手袋１０，５０において、締め付けストラップ１８０の第２端部８０単独の緩みを防ぐ。
【００６５】
図１６は、図８に示される締め付けストラップのさらに別の実施形態の部分斜視図を示す。それに関して、別のスナップファスナー２１５は、さらなる係合部として別の締め付けストラップ２１１に設けられており、図８に示されるスナップファスナーと同様に形成される。
【００６６】
本質的に、スナップファスナー２１５は、外周に配置されたキャッチ２２０を備える矩形構造を有している。図８に示されるように、細くなっている部分１４５は、キャッチ２２０および締め付けストラップ２１１の上面６５の間に配置される。この構成において、スナップファスナー２１５は、締め付けストラップ２１１における幅に関して、すなわち締め付けストラップ２１１の長手方向に交差する形で、図８に示されるスナップファスナーよりも大きい拡張部分を備える。この構成において、キャッチ２２０は、締め付けストラップ２１１の上面６５とは反対側に配置される係止領域２２５を備える。本実施形態において、キャッチ２２０は、スナップファスナー２１５の矩形の本体の外周に完全に配置される。キャッチ２２０を、スナップファスナー２１５の一側面または当該一側面の部分領域にのみ配置することも勿論考えられる。しかし、キャッチ２２０が、締め付けストラップ２１１の長軸７５と交差するスナップファスナー２１５の側面に少なくとも設けられていると有益である。矩形構造により、別のスナップファスナー２１５は、同じ力伝達特性を維持する一方で、図８に示されるスナップファスナーよりも細くかつ小型に形成されていてもよい。
【００６７】
図１７は、図１６に示される締め付けストラップの部分斜視図である。締め付けストラップ２１１は、長軸７５に沿って配置されたいくつかの開口部２３０を備えており、当該開口部２３０は、図１６に示されるスナップファスナー２１５に対応して形成され、本質的には矩形の断面を有している。角領域２３５において、各開口部２３０の矩形断面は、丸い縁２４０を有しているため、開口部２３０の角領域における締め付けストラップ２１１が引き裂かれることを防いでいる。さらに、締め付けストラップ２１１は、射出成型後に、簡単な方法で射出成型用鋳型から取り出されてもよい。
【００６８】
手首３０または腕に防護手袋１０，５０を固定するために、締め付けストラップ２１１の底面１６５が、スナップファスナー２１５の領域において締め付けストラップ２１１の上面６５に接触するまで、または当該スナップファスナーが、締め付けストラップ２１１を介して完全に係合して、係止領域２２５が、締め付けストラップ２１１の第２端部８０の領域において締め付けストラップ２１１の上面６５に接触するまで、スナップファスナー２１５は開口部２３０に挿入される。スナップファスナー２１５の矩形構造、またはスナップファスナー２１５に対して対応する開口部２３０の構造により、いくつかの開口部２３０が当該開口部の円筒形状よりも大きい締め付けストラップ２１１の第２端部８０に設けられていてもよい。これにより、防護手袋１０，５０の使用者の各人の手首または腕の外周への締め付けストラップ２１１のよりスムーズかつ略連続的な調整を提供することができる。
【００６９】
図１８は、締め付けストラップ２５０のさらに別の実施形態の部分上面図を示す。図１８に示される別の締め付けストラップ２５０のさらなる端部８０は、図４から１７に関連して図示されている締め付けストラップ４５，１８０，２１１の第１端部５５の種々の実施形態と組み合わされてもよい。
【００７０】
さらに別の締め付けストラップ２５０は、互いに等間隔で長軸７５に交差するように配置されたいくつかのリブ２５５を備えており、当該リブ２５５は、突起として締め付けストラップ２５０の上面６５から突出している。スナップファスナーバックル２６０は、締め付けストラップ２５０のさらなる端部８０のリブ２５５の領域に設けられている。スナップファスナーバックル２６０は、締め付けストラップ２５０の上面６５の上に配置される底部２６５を備えている。さらに、いくつかの屈曲クリップ部２７０は、スナップファスナーバックル２６０の側面に設けられており、締め付けストラップを横から把持することにより、締め付けストラップ２５０にスナップファスナーバックル２６０を固定する。長手方向、すなわち長軸７５の方向にスナップファスナーバックル２６０が滑動することを防ぐために、２つのスリットのような窪み２７５，２８０がスナップファスナーバックル２６０に設けられている。当該窪み２７５，２８０は、スナップファスナーバックル２６０が係合するときに、締め付けストラップ２５０の各リブ２５５がスナップファスナーバックル２６０の窪み２７５，２８０に係合するように、スナップファスナーバックル２６０の底部２６５に配置される。スナップファスナーバックル２６０は、略中間に配置され、図４および図５に示されるスナップファスナー６０に対応する円形に形成されている受取開口部２８５をさらに備えている。受取開口部２８５は、例えば多角形、楕円形または矩形等の異なる形状を有していても勿論よい。受取開口部２８５は、締め付けストラップ２５０を結ぶと共に、防護手袋１０，５０を手首３０または腕に固定するために、図１０に関連して説明された方法と同様の方法で図４および５に示されるスナップファスナー６０を把持するように構成されている。
【００７１】
受取開口部２８５が図１６に示されるスナップファスナー２１５に対応する矩形構造を有している場合、スナップファスナー２１５は、上述したように、受取開口部２８５によって把持される。
【００７２】
手首３０の締め付けストラップ２５０をしっかり引っ張ることによって、リブ２５５は窪み２７５，２８０に押し込まれる。これにより、締め付けストラップ２５０が滑動し、当該締め付けストラップ２５０が意図せずに外れたり緩んだりすることを防ぐ。同時に、図４から１７に図示されるループ部１５５、および結果として生じる、防護手袋のループ３５，４０への締め付けストラップ２５０の固定は、スナップファスナーバックル２６０が開いているときに締め付けストラップ２５０が紛失することを防ぐことができる。
【００７３】
図１から１８に関連して説明された防護手袋または締め付けストラップ４５，１８０，２１１，２５０は、本発明の好ましい実施形態または本発明の例示的な実施形態に相当する。さらに、さらなる変更および／または構成の組み合わせを有し得る異なる実施形態も考えられる。
【００７４】
例えば、締め付け手段として図１０，１７に示される開口部８５，２３０の単列配置の代わりに、締め付けストラップ４５，１８０，２１１の幅が許容するのであれば、当該開口部８５，２３０を２つまたはいくつかの列に配置してもよい。開口部８５，２３０のいくつかの列を備える構成の場合、対応する数の列のスナップファスナー６０，２１５も同様に設けられる。スナップファスナー６０，２１５および開口部８５，２３０のいくつかの列を備える構成の場合、スナップファスナー６０，２１５は、開口部８５，２３０によって把持される。
【００７５】
締め付けストラップ４５，１８０，２１１，２５０およびスナップファスナー６０，１８５，２１５のプラスチック材料としての熱可塑性エラストマーの代替物として、別の弾性プラスチック材料も勿論考えられる。しかし、これらのプラスチック材料は、食品産業において使用することに適していることが必要不可欠である。
【００７６】
スナップファスナー６０，１８５，２１５が、締め付けストラップ４５，１８０，２１１，２５０のプラスチック材料とは異なるプラスチック材料であって、例えば締め付けストラップ４５，１８０，２１１，２５０のプラスチックよりも硬いプラスチック材料を備えることもさらに考えられる。この構成において、スナップファスナー６０，１８５，２１５および締め付けストラップ４５，１８０，２１１，２５０は、互いに独立して各々の機械的歪みに調整できることが有益である。これにより、スナップファスナー６０，１８５，２１５および締め付けストラップ４５，１８０，２１１，２５０が、互いに一体化して製造することによって、スナップファスナー６０，１８５，２１５の紛失を確実に防ぐように、スナップファスナー６０，１８５，２１５および締め付けストラップ４５，１８０，２１１，２５０は、二成分射出成型法によって製造することができる。さらに、締め付けストラップ４５，１８０，２１５における汚れの体積を回避することができる。
【００７７】
上述した防護手袋１０，５０の代替物として、防護衣類１０，５０は、以下の種類の衣類：手袋１０、特に五本指手袋；防護袖を有する手袋５０、特に腕の全体または一部分を防護するための手袋；防護袖片；防護脚片；シャツ；袖有／袖無のチュニック；一着のズボン；頭部または首筋を防護するためのフード；エプロン；袖有／袖無のボレロ；のうちの少なくとも１つであり得る。重要な構成は、締め付けストラップ４５，１８０，２１１，２５０が開いている場合でも締め付けストラップ４５，１８０，２１１，２５０が防護手袋１０、５０に固定されるように、上述した締め付けストラップ４５，１８０，２１１，２５０がループ部１５５によって、防護衣類１０，５０のループ３５，４０を把持することである。
【００７８】
１０  防護手袋
１５  籠手
２０  指先
２５  後縁部
２６  金属リングメッシュ
３０  手首
３５  第１ループ
４０  第２ループ
４５  締め付けストラップ
５０  防護手袋
５５  締め付けストラップの第１端部
６０  スナップファスナー
６５  締め付けストラップの側面または上面
７０  係合部
７５  長軸
８０  締め付けストラップの第２端部
８５  開口部
９０  窪み
９５  蝶番領域
９６  ラベリング領域
１００  先端部
１０５  長手桁
１０６  逸れた表面
１０７  対向側面
１１５  第１斜面
１２０  縦断部
１２５  横断部
１３０  第２斜面
１３５  窪みの側面
１４０  キャッチ
１４５  細くなっている部分
１４６  周縁面
１５０  係止面
１５５  ループ部
１６０  首部分
１６５  底面
１７０  側面
１８０  さらなる締め付けストラップ
１８５  さらなるスナップファスナー
１９０  さらなるスナップファスナーのキャッチ
１９５  円筒部
２００  丸い縁
２０５  開口部
２１０  斜面
２１１  締め付けストラップ
２１５  スナップファスナー
２２０  キャッチ
２２５  係止面
２３０  開口部
２３５  角領域
２４０  丸い縁
２５０  締め付けストラップ
２５５  リブ
２６０  スナップファスナーバックル
２６５  底部
２７０  クリップ部
２７５  窪み
２８０  窪み
２８５  受取開口部
【図面の簡単な説明】
【００７９】
【図１】図１は、籠手を備えている防護手袋の背面斜視図を示す。
【図２】図２は、図２に示される防護手袋の正面図を示す。
【図３】図３は、さらなる防護手袋の背面斜視図を示す。
【図４】図４は、図１から３に示される防護手袋の締め付けストラップの斜視図である。
【図５】図５は、図４に示される締め付けストラップの細部の斜視図を示す。
【図６】図６は、図５において印をつけられた細部を示しており、図４および５に示された締め付けストラップを通る縦断面図を示す。
【図７】図７は、図５において印をつけられたさらなる細部を示しており、図４および５に示される締め付けストラップを通る縦断面図を示す。
【図８】図８は、図４に示される締め付けストラップの端部の部分斜視図を示す。
【図９】図９は、図４および５に示される締め付けストラップのさらなる端部の部分斜視図を示す。
【図１０】図１０は、図１から３に示される防護手袋を通る概略断面図を示す。
【図１１】図１１は、図１０に示される締め付けストラップの端部を通る縦断面図の細部を示す。
【図１２】図１２は、図１０に示される締め付けストラップのさらなる端部を通る縦断面図の細部を示す。
【図１３】図１３は、別の締め付けストラップの斜視図を示す。
【図１４】図１４は、図１３に示される別の締め付けストラップを通る縦断面図を示す。
【図１５】図１５は、図１３または１４に示される締め付けストラップを備える図１から３において示された防護手袋を通る概略断面図を示す。
【図１６】図１６は、図８に示される締め付けストラップの別の実施形態の部分斜視図を示す。
【図１７】図１７は、図１６に示される締め付けストラップの部分斜視図を示す。
【図１８】図１８は、締め付けストラップのさらに別の実施形態の部分上面図を示す。
【図１】
2015531435.tif 000003
【図２】
2015531435.tif 000004
【図３】
2015531435.tif 000005
【図４】
2015531435.tif 000006
【図５】
2015531435.tif 000007
【図６】
2015531435.tif 000008
【図７】
2015531435.tif 000009
【図８】
2015531435.tif 000010
【図９】
2015531435.tif 000011
【図１０】
2015531435.tif 000012
【図１１】
2015531435.tif 000013
【図１２】
2015531435.tif 000014
【図１３】
2015531435.tif 000015
【図１４】
2015531435.tif 000016
【図１５】
2015531435.tif 000017
【図１６】
2015531435.tif 000018
【図１７】
2015531435.tif 000019
【図１８】
2015531435.tif 000020
【国際調査報告】
2015531435.tif 000021
2015531435.tif 000022
2015531435.tif 000023